(57)【要約】      （修正有）【課題】ネジで保護網を固定するときに保護網の樹脂被膜が破壊されることがないようにした空気調和機の室外機を提供する。【解決手段】開口を有する筐体と、樹脂被膜５３で覆われた複数の金属線材５２で形成され筐体の開口を覆うように配置された保護網５０と、保護網５０を筐体に取り付けるためのネジ６０とを備え、保護網５０の金属線材５２には挿通孔５１ａを有する取付部５１が形成された空気調和機の室外機において、貫通孔を有する円筒形状のスリーブ本体１１と、スリーブ本体１１の一端の側面に形成されたフランジ１２と、スリーブ本体１１の他端の側面に形成された係止突起１３とを有するスリーブ１０をさらに備える。スリーブ１０はスリーブ本体１１の他端から保護網５０の取付部５１の挿通孔５１ａに挿入されており、ネジ６０はスリーブ本体１１のフランジ１２側から貫通孔に挿入され筐体に螺合されている。【選択図】図２
2017146002.tif 000002
【特許請求の範囲】
【請求項１】
被保護面を有する筐体と、樹脂被膜で覆われた複数の金属線材で形成され前記筐体の前記被保護面を覆うように配置された保護網と、前記保護網を前記筐体に取り付けるためのネジとを備え、前記保護網の前記金属線材には挿通孔を有する取付部が形成された空気調和機の室外機において、
貫通孔を有する円筒形状のスリーブ本体と、該スリーブ本体の一端の側面に形成されたフランジと、前記スリーブ本体の他端の側面に形成された係止突起とを有するスリーブをさらに備え、
前記スリーブは前記スリーブ本体の前記他端から前記保護網の前記取付部の前記挿通孔に挿入されており、前記ネジは前記スリーブ本体の前記フランジ側から前記スリーブ本体の前記貫通孔に挿入され前記筐体に螺合されていることを特徴とする空気調和機の室外機。
【請求項２】
請求項１に記載の空気調和機の室外機において、
前記スリーブ本体は、前記フランジの前記係止突起側の面から係止突起の側の先端面までの長さが、前記保護網の前記取付部の金属線材の直径よりも短いことを特徴とする空気調和機の室外機。
【請求項３】
請求項２に記載の空気調和機の室外機において、
前記スリーブの前記フランジには、前記仮止突起の型抜孔が形成されていることを特徴とする空気調和機の室外機。
【発明の詳細な説明】
【技術分野】
【０００１】
本発明は、室内機に接続される空気調和機の室外機にかかわり、特に室外機の被保護面に装着される保護網の取付構造について改良した室外機に関する。
【背景技術】
【０００２】
図３に従来の室外機の正面を、図４に背面を示す。２０はその室外機の筐体である。筐体２０は、前面板２１、メンテナンスのために前面板２１の右側に設けられた着脱自在なサービスパネル２２、右側面板２３、背面板２４、左側面板２５、取付脚２６ａが下面に設けられた底面板２６、及び天面板２７を有する。
【０００３】
そして、前面板２１の開口部２１ａには、その内部に設置された排気ファン３０を保護するためのグリル４０が取り付けられている。また、背面板２４の開口部２４ａには、内部の図示しない熱交換器に外部から何らかの接触が生じることがないようにするための保護網５０が取り付けられている。
【０００４】
その保護網５０は、図４の拡大図に示すように、端部（図４では４か所）に、リング形状の挿通孔５１ａを有する取付部５１が、その保護網５０を構成する金属線材５２を曲折することによって形成されている。そして、図５に示すように、この取付部５１の挿通孔５１ａにネジ６０のネジ部６３を挿通し、そのネジ部６３を背面板２４の取付孔２４ｂに螺合することにより、その保護網５０が開口部２４ａを覆うように背面板２４に取り付けられる。
【０００５】
ところで、この保護網５０は、上記のように金属線材５２で形成されているが、錆が発生して腐食するので、それを防止するために金属線材５２の表面が樹脂被膜５３で覆われている。
【０００６】
しかしながら、保護網５０の取付部５１をネジ６０で締め付ける際に、ネジ６０の頭部６１のの座面６１ａが保護網５０に当たることによって、保護網５０の表面の樹脂被膜５３が破壊されて内部の金属線材５２が露出し、そこに錆が発生して腐食し保護網５０の強度が低下する恐れがある。
【０００７】
そこで従来は、樹脂製のワッシャを、ネジ６０の頭部６１の座面６１ａとネジ部６３の間に挿入することで、ネジ６０の頭部６１の座面６１ａが保護網５０の表面の樹脂被膜５３に直接当たらないようにして、その樹脂被膜５３が破壊されて剥がれることがないようにすることが提案されている（例えば、特許文献１）。
【先行技術文献】
【特許文献】
【０００８】
【特許文献１】特願２０１０−１０１５９２号公報
【発明の概要】
【発明が解決しようとする課題】
【０００９】
しかしながら、ワッシャとして特許文献１に記載のように樹脂製のものを使用する場合でも、保護網５０の取付部５１の挿通孔５１ａの中心と背面板２４の取付孔２４ａの中心がずれている場合は、ネジ６０のネジ部６３が取付部５１の樹脂被膜５３に接触して、その樹脂被膜５３が破壊されることがあった。
【００１０】
本発明の目的は、ネジで保護網を固定するときに保護網の樹脂被膜が破壊されることがないようにした空気調和機の室外機を提供することである。
【課題を解決するための手段】
【００１１】
上記目的を達成するために、請求項１にかかる発明は、被保護面を有する筐体と、樹脂被膜で覆われた複数の金属線材で形成され前記筐体の前記被保護面を覆うように配置された保護網と、前記保護網を前記筐体に取り付けるためのネジとを備え、前記保護網の前記金属線材には挿通孔を有する取付部が形成された空気調和機の室外機において、貫通孔を有する円筒形状のスリーブ本体と、該スリーブ本体の一端の側面に形成されたフランジと、前記スリーブ本体の他端の側面に形成された係止突起とを有するスリーブをさらに備え、前記スリーブは前記スリーブ本体の前記他端から前記保護網の前記取付部の前記挿通孔に挿入されており、前記ネジは前記スリーブ本体の前記フランジ側から前記スリーブ本体の前記貫通孔に挿入され前記筐体に螺合されていることを特徴とする。
【００１２】
請求項２にかかる発明は、請求項１に記載の空気調和機の室外機において、前記スリーブ本体は、前記フランジの前記係止突起側の面から係止突起の側の先端面までの長さが、前記保護網の前記取付部の金属線材の直径よりも短いことを特徴とする。
【００１３】
請求項３にかかる発明は、請求項２に記載の空気調和機の室外機において、前記スリーブの前記フランジには、前記仮止突起の型抜孔が形成されていることを特徴とする。
【発明の効果】
【００１４】
本発明によれば、ネジがスリーブの貫通孔に挿入されて筐体にネジ止めされるので、保護網の取付部の挿通孔の中心と筐体の取付孔の中心がずれていても、ネジのネジ部が保護網の取付部の樹脂被膜に接触することはなく、ネジのネジ部によってその樹脂被膜が破壊されることはない。また、ネジの頭部の座面はスリーブのフランジに当接し保護網の取付部には接触しないので、ネジの頭部の座面によってもその樹脂被膜が破壊されることはない。
【００１５】
さらに、スリーブに仮止突起が形成されているので、スリーブを保護網の取付部の挿通孔に予め仮止めしておくことができ、ネジ締めの作業が容易となる。
【００１６】
さらに、スリーブ本体について、フランジの係止突起の側の面から係止突起までの長さを、保護網の取付部の金属線材の直径よりも短かくすることで、ネジ止めによってスリーブがつぶれることを防止できる。
【００１７】
さらに、スリーブのフランジに仮止突起の型抜孔が形成されるようにすることで、スリーブを成型するための成形型の低コスト化を実現することができる。
【図面の簡単な説明】
【００１８】
【図１】本発明の実施例のスリーブの斜視図である。
【図２】図１のスリーブを使用して保護網の取付部を背面板に取り付けた状態の断面図である。
【図３】一般的な室外機の正面図である。
【図４】一般的な室外機の背面図である。
【図５】保護網の取付部を背面板に取り付けた従来の状態の断面図である。
【発明を実施するための形態】
【００１９】
本実施例の空気調和機の室外機は、図３及び図４で説明したように筐体２０を有し、その筐体２０は、前面板２１、メンテナンスのために前面板２１の右側に設けられた着脱自在なサービスパネル２２、右側面板２３、背面板２４、左側面板２５、取付脚２６ａが下面に設けられた底面板２６、及び天面板２７を有する。
【００２０】
そして、前面板２１の開口部２１ａには、その内部に設置された排気ファン３０を保護するためのグリル４０が取り付けられている。また、背面板２４の開口部２４ａには、内部の図示しない熱交換器に外部から何らかの接触が生じることがないようにするための保護網５０が取り付けられている。
【００２１】
本実施例では、荷重を加えると変形しその荷重を取り去ると元の形状に戻る材質、例えば樹脂又はゴムで形成された図１に示したような形状のスリーブ１０を使用する。このスリーブ１０は、室外機の背面板２４に露出する図示しない熱交換器を保護する保護網５０を取り付けるためのものである。
【００２２】
このスリーブ１０は、貫通孔１１ａを有する円筒形状のスリーブ本体１１と、そのスリーブ本体１１の一端の側面に突出するように形成されたフランジ１２と、スリーブ本体１１の他端の側面に突出するように形成された２個の仮止突起１３を備える。この２個の係止突起１３の外周面の間の距離（外径）Ｌ１は、保護網５０の取付部５１の挿通孔５１ａの内径より大きくなっている。
【００２３】
フランジ１２に形成された２個の型抜孔１２ａは、成型によってスリーブ１０を形成する際に、仮止突起１３を形成する型を抜くための孔である。このようにフランジ１２に仮止突起１３の型抜孔１２ａを形成すれば、スリーブを成型するための成形型の低コスト化を実現できる。
【００２４】
さて、保護網５０を室外機の背面板２４に取り付けるには、まずスリーブ１０のスリーブ本体１１を、仮止突起１３の側を先にして保護網５０の取付部５１の挿通孔５１ａに差し込む。このとき、２個の係止突起１３の外周面の間の距離Ｌ１が挿通孔５１ａの内径より大きいので、スリーブ１０の仮止突起１３が挿通孔５１ａを通過する際に変形し、通過した後にもとの形状に戻る。このため、スリーブ１０がその仮止突起１３によって保護網５０の取付部５１の挿通孔５１ａ内に仮止めされる。
【００２５】
次に、保護網５０の取付部５１に仮止めしたスリーブ１０の貫通孔１１ａを、筐体２０の背面板２４のネジ孔２４ｂに合わせてから、ネジ６０のネジ部６３をスリーブ１０のフランジ１２の側から貫通孔１１ａに挿通して背面板２４のネジ孔２４ｂに螺合させる。これにより、その取付部５１が背面板２４に取り付けられる。
【００２６】
このとき、ネジ６０のネジ部６３はその周囲がスリーブ１０のスリーブ本体１１に囲まれるので、そのネジ部６３が保護網５０の取付部５１の樹脂被膜５３に接触することはない。つまり、ネジ６０によって取付部５１の樹脂被膜５３が破壊されることはない。
【００２７】
また、ネジ６０の座面６１ａはスリーブ１０のフランジ１２によって受け止められ、その座面６１ａが取付部５１に接触することはないので、同様に取付部５１の樹脂被膜５３が破壊されることはない。さらに、ネジ６０として、頭部６１にフランジ６２を有し、そのフランジ６２を含む座面６１ａに凹凸が形成されたセレートネジを使用しても、同様な効果が得られる。
【００２８】
また、スリーブ本体１１について、フランジ１２の係止突起１３の側の下面１２ｂから係止突起１３の側の先端面１３ａまでの長さＬ２を、図２に示すように、保護網５０の取付部５１の金属線材５２の直径よりも短かくしておけば、ネジ６０の締め付けによってスリーブ１０がつぶれることを防止できる。
【００２９】
以上から、保護網５０の取付部５１の樹脂被膜５３の保護が可能となり、保護網５０に錆が発生して腐食することを防止することができる。また、ネジ６０としてセレートネジを使用することができるので、筐体への取付ネジとしてセレートネジへの共通化を実現することができる。
【００３０】
なお、保護網５０によって保護される対象は熱交換器に限られるものではなく、保護網５０はその他の被保護面を覆うように、上記した取付構造で取付けることができる。
【符号の説明】
【００３１】
１０：スリーブ、１１：スリーブ本体、１１ａ：貫通孔、１２：フランジ、１２ａ：型抜孔、１３：仮止突起
２０：筐体、２１：前面板、２１ａ：開口、２２：サービスパネル、２３：右側面板、２４：背面板、２４ａ：開口、２４ｂ：ネジ孔、２５：左側面板、２６：底面板、２６ａ：取付脚、２７：天面板
３０：排気ファン
４０：グリル
５０：保護網、５１：取付部、５１ａ：挿通孔、５２：金属線材、５３：樹脂被膜
６０：ネジ、６１：頭部、６１ａ：座面、６２：フランジ、６３：ネジ部
【図１】
2017146002.tif 000003
【図２】
2017146002.tif 000004
【図３】
2017146002.tif 000005
【図４】
2017146002.tif 000006
【図５】
2017146002.tif 000007